(57)【要約】【課題】水等の液体を用いて地面にラインを引く場合に、きれなラインを素早く引くことができるようにする。【解決手段】ライン引き器具１は、液体が貯留される貯留空間Ｒを有する本体部２と、本体部２に設けられた車輪５と、本体部２の貯留空間Ｒに接続されたノズル６とを備えている。ノズル６には、複数の小孔を形成することにより、各小孔から流出する水の勢いを弱めながら、ノズル６全体として見たときの液体の単位時間当たりの流出量を十分に確保する。【選択図】図１
2009207693.tif 000002
【特許請求の範囲】
【請求項１】
液体を用いて地面にラインを引くように構成されたライン引き器具であって、
液体が貯留される貯留空間を有する本体部と、
上記本体部に設けられた車輪と、
上記本体部に接続されたノズルとを備え、
上記ノズルには、複数の流出孔が形成されていることを特徴とするライン引き器具。
【請求項２】
請求項１に記載のライン引き器具において、
流出孔の径は、３．０ｍｍ以下に設定されていることを特徴とするライン引き器具。
【請求項３】
請求項１または２に記載のライン引き器具において、
隣り合う流出孔の中心間距離は、３０．０ｍｍ以下に設定されていることを特徴とするライン引き器具。
【請求項４】
請求項１から３のいずれか１つに記載のライン引き器具において、
ノズルの流出側には、地面に対向して延びる板部が形成され、
上記板部には、流出孔が設けられていることを特徴とするライン引き器具。
【請求項５】
請求項４に記載のライン引き器具において、
地面に接するスタンド部を備え、
本体部は、上記スタンド部が地面に接する自立姿勢と、自立姿勢から車輪の軸を中心に傾動して上記スタンド部が地面から離れた使用姿勢とに切り替えられ、
ノズルの板部と地面とのなす角度は、上記本体部が上記自立姿勢にあるときよりも、上記使用姿勢にあるときの方が小さくなるように設定されていることを特徴とするライン引き器具。
【請求項６】
請求項１から５のいずれか１つに記載のライン引き器具において、
ノズルには、該ノズル内の流路を開閉する弁体が設けられ、
本体部には、グリップ部と、上記弁体に連結された連結部材とが設けられ、
上記グリップ部には、上記連結部材を操作する操作部が設けられていることを特徴とするライン引き器具。
【請求項７】
請求項１から６のいずれか１つに記載のライン引き器具において、
本体部の上部には、グリップ部が設けられ、
上記グリップ部の内部には、該グリップ部の外面に開口して貯留空間に達するまで延びる注液通路が形成されていることを特徴とするライン引き器具。
【請求項８】
請求項７に記載のライン引き器具において、
グリップ部は、本体部から突出していることを特徴とするライン引き器具。
【請求項９】
請求項１から８のいずれか１つに記載のライン引き器具において、
本体部の貯留空間の断面積は、該本体部の上側よりも下側の方が大きく設定されていることを特徴とするライン引き器具。
【発明の詳細な説明】
【技術分野】
【０００１】
本発明は、例えば運動場等にラインを引くためのライン引き器具に関する。
【背景技術】
【０００２】
従来より、この種のライン引き器具として、例えば、特許文献１、２に開示されているように、従来の石灰粉の代わりに水を使用するように構成されたものが知られている。これら特許文献のライン引き器具は、水を貯留しておくためのタンクと、タンクの下部に設けられた車輪と、タンクに連通するノズルとを備えている。そして、作業者は、ノズルから水を流出させながらタンクを押して移動させることにより、水を地面に撒いてラインを引くことができる。
【特許文献１】特開平１１−８９９９３号公報
【特許文献２】実用新案登録第３０７２８０５号公報
【発明の開示】
【発明が解決しようとする課題】
【０００３】
ところで、例えば学校においては授業の合間のように限られた時間内でラインを素早く引くことが要求されることがある。これに対して、ノズルの流出孔の径を大きくして水の単位時間当たりの流出量を多くすることが考えられるが、そうすると水がノズルから勢いよく流出することになるので、ノズルから地面に落ちた水が飛び散ってしまい、ラインをきれいに引けなくなるという問題がある。
【０００４】
本発明は斯かる点に鑑みてなされたものであり、その目的とするところは、水等の液体を用いて地面にラインを引く場合に、きれいなラインを素早く引くことができるようにすることにある。
【課題を解決するための手段】
【０００５】
上記目的を達成するために、本発明では、ノズルの構造に工夫を凝らし、液体の流出時の勢いを弱めても、単位時間当たりの流出量を確保できるようにした。
【０００６】
具体的には、第１の発明では、液体を用いて地面にラインを引くように構成されたライン引き器具であって、液体が貯留される貯留空間を有する本体部と、上記本体部に設けられた車輪と、上記本体部に接続されたノズルとを備え、上記ノズルには、複数の流出孔が形成されている構成とする。
【０００７】
この構成によれば、本体部の貯留空間に貯留されている液体がノズルの複数の流出孔から流出して地面に撒かれ、このとき、本体部を移動させると、撒かれた液体により地面にラインが引かれていく。液体が複数の流出孔から流出するようになっているので、流出孔１つ当たりの径を小さくして液体が各流出孔から流出する勢いを弱めても、ノズル全体として見たときの液体の単位時間当たりの流出量は十分に確保することが可能である。
【０００８】
第２の発明では、第１の発明において、流出孔の径は、３．０ｍｍ以下に設定されている構成とする。
【０００９】
この構成によれば、流出孔から流出する液体の勢いが十分に弱まり、液体の飛び散りをより一層抑制することが可能になる。
【００１０】
第３の発明では、第１または２の発明において、隣り合う流出孔の中心間距離は、３０．０ｍｍ以下に設定されている構成とする。
【００１１】
この構成によれば、流出孔が密に配置されることになるので、ラインにムラができにくくなる。
【００１２】
第４の発明では、第１から３のいずれか１つの発明において、ノズルの流出側には、地面に対向して延びる板部が形成され、上記板部には、流出孔が設けられている構成とする。
【００１３】
この構成によれば、地面に対向する板部から液体が流出するようになるので、各流出孔からの流出量が少なくても、ムラの無いラインを引くことが可能になる。
【００１４】
第５の発明では、第４の発明において、地面に接するスタンド部を備え、本体部は、上記スタンド部が地面に接する自立姿勢と、自立姿勢から車輪の軸を中心に傾動して上記スタンド部が地面から離れた使用姿勢とに切り替えられ、ノズルの板部と地面とのなす角度は、上記本体部が上記自立姿勢にあるときよりも、上記使用姿勢にあるときの方が小さくなるように設定されている構成とする。
【００１５】
この構成によれば、使用しないときには、スタンド部を利用して本体部を自立姿勢としておくことが可能になる。一方、使用するときには、本体部を傾動させて使用姿勢とすることで、ノズルの板部と地面とのなす角度が小さくなる。これにより、ノズルの板部が地面に対し平行に近い状態となり、液体を地面にきれいに撒くことが可能になる。
【００１６】
第６の発明では、第１から５のいずれか１つの発明において、ノズルには、該ノズル内の流路を開閉する弁体が設けられ、本体部には、グリップ部と、上記弁体に連結された連結部材とが設けられ、上記グリップ部には、上記連結部材を操作する操作部が設けられている構成とする。
【００１７】
この構成によれば、作業者がグリップ部の操作部を操作すると、その操作力が連結部材を介してノズルの弁体に伝達されて、弁体を開状態と閉状態とに切り替えることが可能になる。
【００１８】
第７の発明では、第１から６のいずれか１つの発明において、本体部の上部には、グリップ部が設けられ、上記グリップ部の内部には、該グリップ部の外面に開口して貯留空間に達するまで延びる注液通路が形成されている構成とする。
【００１９】
この構成によれば、液体をグリップ部の注液通路に注ぐことにより、本体部の貯留空間に注入して貯留することが可能になる。
【００２０】
第８の発明では、第７の発明において、グリップ部は、本体部から突出している構成とする。
【００２１】
この構成によれば、グリップ部の注液通路に液体を注入する際に本体部が邪魔になりにくくなる。
【００２２】
第９の発明では、第１から８のいずれか１つの発明において、本体部の貯留空間の断面積は、該本体部の上側よりも下側の方が大きく設定されている構成とする。
【００２３】
この構成によれば、液体が貯留された状態の本体部の重心位置を下げることが可能になる。
【発明の効果】
【００２４】
第１の発明によれば、液体が貯留される本体部に車輪とノズルを設け、このノズルに複数の流出孔を形成したので、ラインを引くとき、各流出孔から流出する液体の勢いを弱めて地面に落ちた液体の飛び散りを抑制しながら、ノズル全体から流出する単位時間当たりの液体の流出量を十分に得ることができる。これにより、きれいなラインを素早く引くことができる。
【００２５】
第２の発明によれば、ノズルの各流出孔の径を３．０ｍｍ以下としたので、液体の飛び散りをより一層抑制することができ、ラインをより一層きれいに引くことができる。
【００２６】
第３の発明によれば、隣り合う流出孔の間隔を３０．０ｍｍ以下に設定したので、流出孔を密に配置でき、むらの無いラインを引くことができる。
【００２７】
第４の発明によれば、ノズルの流出孔側に地面に対向して延びる板部を設け、この板部に、流出孔を設けたので、ムラを生じにくくすることができる。
【００２８】
第５の発明によれば、本体部の姿勢を自立姿勢と使用姿勢とに切り替え可能にし、ノズルの板部と地面とのなす角度が、使用姿勢にあるときに小さくなるようにしたので、液体を地面にきれいに撒くことができ、より一層きれいなラインを得ることができる。
【００２９】
第６の発明によれば、作業者がグリップ部を持ったまま、操作部を操作することによりノズル内の流路を開閉することができるので、作業者がノズルの弁体を手元で操作することができ、ライン引きの作業性を良好にすることができる。
【００３０】
第７の発明によれば、本体部に設けられたグリップ部の内部に注液通路を形成したので、グリップ部の内部を有効に活用でき、注液通路を有するライン引き器具をコンパクトにまとめることができる。
【００３１】
第８の発明によれば、グリップ部が本体部から突出しているので、液体を注入する際の作業性を良好にすることができる。
【００３２】
第９の発明によれば、本体部の貯留空間の断面積を本体部の下側の方を大きく設定したので、本体部の重心位置を下げることができ、ライン引き器具を安定させることができる。
【発明を実施するための最良の形態】
【００３３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３４】
図１は、本発明の実施形態に係るライン引き器具１を示すものである。ライン引き器具１は、上下方向に長い本体部２と、本体部２の下部に下方へ突出するように配設されたスカート部材３と、スカート部材３を貫通する車軸４と、車軸４に取り付けられた２つの車輪５、５と、本体部２の下部におけるスカート部材３の内方に配設されたノズル６とを備えている。
【００３５】
このライン引き器具１は、使用時には、自立姿勢（図１に実線で示す）から傾動させた使用姿勢（図１に仮想線で示す）に切り替えて、車輪５、５により移動させながらノズル６から本体部２内の水を流出させて地面に撒き、この水によりラインを引くことができるようになっている。このライン引き器具１を用いてラインを引く場所としては、例えば、幼稚園の庭、学校の校庭、公園等が挙げられる。尚、この実施形態の説明では、ラインを引くときの本体部２の進行方向前側となる側を「前」といい、後側となる側を「後」といい、また、進行方向の左側を「左」といい、右側を「右」というものとする。
【００３６】
本体部２は、樹脂材を成形してなるものである。本体部２の内部には、その下端部から上端部に亘って水を貯留しておくための貯留空間Ｒが形成されている。本体部２の前壁部１０は、自立姿勢にあるときに略鉛直となるように延びている。図２に示すように、前壁部１０の幅は、下側へ行くほど広くなるように設定されている。前壁部１０の左右方向中央部の下部には、前方へ向けて膨出する前側膨出部１０ａが形成されている。
【００３７】
本体部２の左側壁部１１及び右側壁部１２は、上側に行くほど互いに接近するように傾斜している。左側壁部１１及び右側壁部１２の下側には、図１及び図３に示すように、環状に延びる凹条部１１ａ、１２ａがそれぞれ形成されている。左側壁部１１及び右側壁部１２に凹条部１１ａ、１２ａが設けられていることにより、貯留空間Ｒに水を貯留したときに左側壁部１１及び右側壁部１２の変形が抑制されるようになっている。
【００３８】
図１に示すように、本体部２の後壁部１３の上半部は、前壁部１０と略平行に延びている。後壁部１３の上下方向中央部近傍よりも下側は、滑らかに湾曲しながら後側へ延びている。後壁部１３の下部には、後側へ向けて膨出する後側膨出部１３ａが形成されている。従って、図３〜図５に示すように、本体部２の貯留空間Ｒの横断面積は、上側よりも下側の方が大きくなっている。
【００３９】
図６に示すように、後壁部１３には、目盛１３ｂが設けられている。本体部２を構成する樹脂材の色や厚みは、貯留空間Ｒ内の水面が外部から透けて見えるように設定されている。従って、貯留空間Ｒに貯留されている水の量を、目盛１３ｂを参考にして外部から容易に把握することが可能である。尚、本体部２を構成する樹脂材の色や厚みは、内部が透けて見えないように設定してもよい。
【００４０】
また、図７に示すように、後壁部１３の上部近傍には、貯留空間Ｒに連通する開口部１３ｃが形成されている。この開口部１３ｃは、上下方向に長く延びる形状とされている。
【００４１】
図１及び図２に示すように、本体部２の下壁部１４の左右両側には、下方へ向けて湾曲する湾曲部１４ａ、１４ａが設けられている。これら湾曲部１４ａ、１４ａの後側は、後側膨出部１３ａの下部に連続している。下壁部１４の両湾曲部１４ａ、１４ａの間には、前後方向に延びるように形成された底板部１４ｂが設けられている。底板部１４ｂは、両湾曲部１４ａ、１４ａよりも下方に位置している。
【００４２】
図１や図７に示すように、後壁部１３の上部には、作業者が持つためのグリップ部２０が設けられている。グリップ部２０は、後壁部１３の開口部１３ｃよりも上側の部位から後側へ向けて斜め上方に突出する円筒状の上側把持部２０ａと、上側把持部２０ａの後端部に連なり、下方へ向けて湾曲しながら前側へ延びるように形成された円筒状の下側把持部２０ｂとで構成されている。これら上側把持部２０ａ及び下側把持部２０ｂの付け根部分は、後壁部１３に一体成形されている。上側把持部２０ａの径は前側に行くほど（付け根に近づくほど）小さくなるように設定されている。下側把持部２０ｂの径も、同様に前側に行くほど小さくなるように設定されている。下側把持部２０ｂの付け根部分の下面には、略平坦に斜め上方へ延びる平坦面部２０ｃが形成されている。本体部２が自立状態にあるときには、作業者は、平坦面部２０ｃが形成されている部分を持っておくことも可能である。
【００４３】
図８に示すように、上側把持部２０ａの内部には、その前後方向両端に亘って中空部Ｓが形成されている。この中空部Ｓの前端部は、本体部２の貯留空間Ｒに連通している。また、下側把持部２０ｂの内部には、本体部２の貯留空間Ｒに達する注水通路（注液通路）Ｔが上下方向に延びるように形成されている。注水通路Ｔの上端部は、上側把持部２０ａと下側把持部２０ｂとの境界部分で上方に開口しており、この開口部が注水口２１となっている。注水口２１は、前後方向に長い楕円形に形成されている。また、注水通路Ｔの上端部は、上記中空部Ｓに連通している。
【００４４】
図１や図７に示すように、グリップ部２０には、後述するノズル６の開閉弁２５を操作するための操作レバー（操作部）２６が設けられている。操作レバー２６は、グリップ部２０の上側把持部２０ａの下方に配置されている。操作レバー２６は、上側把持部２０ａの下面に沿うように下方へ湾曲するように形成され、上側把持部２０ａの前端部近傍から後端部近傍に亘って延びている。操作レバー２６の後端部は、下方へ向けて湾曲形成されている。操作レバー２６の後端部は、下側把持部２０ｂの上端部近傍に設けられた左右方向に延びる支軸２７により支持されている。従って、操作レバー２６は、支軸２７周りに回動して前側が上下方向に移動するようになっている。また、図８に示すように、操作レバー２６の前端部は、下方へ向けて折り曲げられ、開放口１３ｃから貯留空間Ｒに差し込まれている。
【００４５】
図９に示すように、本体部２の底板部１４ｂの周囲には、スカート部材３の上端部が嵌る段差部１４ｃが形成されている。この底板部１４ｂの前側には、下方へ膨出するように形成された雄ネジ部３０が設けられている。この雄ネジ部３０には、スカート部材３を本体部２に締結固定するための雌ネジ部材３１が螺合するようになっている。
【００４６】
底板部１４ｂの前後方向中間部には、下方へ突出する円筒部３２が設けられている。円筒部３２は、貯留空間Ｒに連通し、下方に開放されている。円筒部３２の軸線は、本体部２が自立姿勢にあるときに、下側が上側よりも後方に位置するように傾斜している。円筒部３２の外周面には、ネジ山が形成されている。このネジ山にノズル６が螺合するようになっている。
【００４７】
本体部２の貯留空間Ｒには、開閉弁２５を操作するためのロッド３５が配設されている。図８に示すように、ロッド３５は上下方向に延びており、その軸線は、円筒部３２の軸線と略一致している。ロッド３５の上端部は、操作レバー２６の前端部に固定されている。図９に示すように、ロッド３５の下端部は、円筒部３２内に位置付けられ、ノズル６の内部へ突出している。
【００４８】
ノズル６は、多数の小孔４０を有する、いわゆるシャワーノズルであり、円筒部３２に螺合する筒状の固定部材４１と、固定部材４１に、地面Ａと対向するように取り付けられた板部４２とで構成されている。固定部材４１の下側は、上側よりも大径とされている。固定部材４１の内周面の上側には、円筒部３２のネジ山に螺合するネジ溝が形成されている。固定部材４１の内周面の上下方向中間部には、径方向内方へ延びる環状板４３が形成されている。環状板４３の中心部には、貫通孔４３ａが形成されている。貫通孔４３ａの周縁部には、下方へ突出して周方向に延びる突条部４３ｂが形成されている。貫通孔４３ａの周縁部の上側には、テーパー面４３ｃが形成されている。
【００４９】
図１０及び図１１に示すように、板部４２は、円形状とされている。図９に示すように、板部４２の周縁部は、固定部材４１の下端部に嵌め込まれている。自立姿勢にあるときの板部４２と地面Ａとの離間距離は、１０ｍｍ以上５０ｍｍ以下となるように設定されている。板部４２と地面Ａとの離間距離を１０ｍｍ以上としていることで、地面Ａとのクリアランスが十分に確保され、地面Ａの凸部分や地面Ａ上の小石等が板部４２に当たり難くなり、ノズル６の損傷が抑制される。また、板部４２が地面Ａから離れ過ぎると、ラインが不鮮明になるが、この実施形態では、板部４２と地面Ａとの離間距離を５０ｍｍ以下としていることで、ラインを鮮明に引くことができるようになっている。
【００５０】
板部４２の外径は、２０ｍｍ以上１２０ｍｍ以下に設定されている。図１１に示すように、多数の小孔４０は、この板部４２において前後方向及び左右方向に並んでいる。小孔４０の断面は、円形とされている。小孔４０の数は、５０個以上が好ましいが、１０個程度であってもよい。また、小孔４０が形成される領域の左右寸法Ｌは、ラインの幅に対応することになるので、ラインの幅を変更する場合には、小孔４０が形成される領域の左右寸法Ｌを変更すればよい。尚、板部４２の形状は、円形に限られるものではなく、多角形であってもよい。また、小孔４０の断面形状は、円形に限られるものではない。
【００５１】
隣り合う小孔４０、４０の中心間距離は、３．０ｍｍ以上３０．０ｍｍ以下に設定されており、この実施形態では、全ての小孔４０の中心間距離を５．０ｍｍとして、小孔４０を密に配置するようにしている。小孔４０、４０の中心間距離が３０．０ｍｍよりも長くなると、ラインにむらが生じる場合がある。小孔４０、４０の中心間距離を３．０ｍｍ以上としているのは、隣り合う小孔４０、４０の縁を離して板部４２の強度を確保するためである。
【００５２】
また、全ての小孔４０の径は同じに設定されている。図１２に示すように、各小孔４０の径は、入口側（上側）と出口側（下側）とで異なっており、小孔４０の出口側の径ｄ１は、１．０ｍｍに設定される一方、小孔４０の入口側の径ｄ２は、出口側の径ｄ１よりも大きく、出口側へ向かって徐々に小さくなるように設定されている。小孔４０の入口側の径ｄ２は、１．２ｍｍ以上３．０ｍｍ以下に設定されている。尚、小孔４０は不等間隔に配置するようにしてもよい。また、小孔４０の径は、互いに異ならせてもよい。また、小孔４０の出口側の径ｄ１の下限は、小さすぎると流量が確保されないので０．８ｍｍ以上が好ましく、上限は、水の勢いを十分に抑制することが可能な３．０ｍｍ以下が好ましい。
【００５３】
図９に示すように、開閉弁２５は、下方に開放するハット部材４５と、弁体４６とを備えている。ハット部材４５の下縁部には、フランジ４５ａが形成されている。フランジ４５ａは、円筒部３２の下端部とノズル６の固定部材４１の環状板４３とで挟持されるようになっている。この状態で、ハット部材４５の上端部は、円筒部３２から貯留空間Ｒ内へ突出している。ハット部材４５の上端部には、ロッド３５が挿通するロッド挿通孔４５ｂが形成されている。また、ハット部材４５の周壁部には、複数のスリット４５ｃが形成されており、貯留空間Ｒの水は、これらスリット４５ｃからノズル６の固定部材４１内に流れ込むようになっている。
【００５４】
弁体４６は、ゴム等の弾性材を円柱状に成形してなるものである。弁体４６の中心は、円筒部３２の軸線と一致している。弁体４６の中心部分には、ロッド３５の下端部が貫通している。弁体４６は、ロッド３５の下端部に螺合するナット４７によってロッド３５に固定されている。弁体４６の下端面は、固定部材４１の環状板４３のテーパー面４３ｃに全周に亘って接触するように形成されている。
【００５５】
また、ハット部材４５内の弁体４６の上側には、上下方向に伸縮するバネ４８が配設されている。このバネ４８は、弁体４６を下方へ付勢するように形成されており、この付勢力は、ロッド３５を介して操作レバー２６に伝わり、操作レバー２６は下方へ付勢された状態となる。バネ４８により下方へ付勢された弁体４６は、その下端面が環状板４３のテーパー面４３ｃに接触し、これにより、貫通孔４３ａが閉塞されて閉状態となる。一方、バネ４８の付勢力に抗して操作レバー２６を上方へ回動させてロッド３５を上方（図８及び図９に矢印Ｙで示す方向）へ移動させると、弁体４６が上方へ移動してテーパー面４３ｃから離れ、貫通孔４３ａが開放されて開状態となるようになっている。尚、図９に示す符号５０、５０は、シール材である。
【００５６】
本体部２の底板部１４ｂの後部には、車軸４を回転可能に支持する軸受部５１が設けられている。図１３にも示すように、軸受部５１は、底板部１４ｂの左右方向中央部から下方へ突出する形状をなしており、底板部１４ｂに一体成形されている。軸受部５１には、車軸４が貫通する貫通孔５１ａが左右方向に略水平に延びるように形成されている。車輪５、５は、車軸４の両端部にそれぞれ取り付けられている。
【００５７】
スカート部材３は、図９や図１０に示すように、樹脂材を枠状に成形してなるものであり、下壁部１４の底板部１４ｂの前端部から後端部に亘るように形成されている。図１に示すように、スカート部材３の前部には、自立姿勢のとき地面Ａに接するスタンド部５２が形成されている。スタンド部５２は、下方へ延出する板状をなしており、スカート部材３の前端部から左右両側に回り込むように延びている。
【００５８】
図９及び図１０に示すように、スカート部材３の内方における前後方向中間部には、左右方向に延びる縦板部５３が設けられている。スカート部材３の縦板部５３よりも前側には、前後方向に延びる固定板部５４が設けられている。固定板部５４は、スカート部材３の上端部に位置付けられており、縦板部５３と一体化されている。固定板部５４の前後方向中央部近傍には、上下方向に貫通する貫通孔５４ａが形成されている。貫通孔５４ａの中心は、雄ネジ部３０の中心と一致するようになっている。貫通孔５４ａの径は、雄ネジ部３０の外径よりも大きめに設定され、雄ネジ部３０が貫通孔５４ａから下方へ突出するようになっている。この状態で雄ネジ部３０に雌ネジ部材３１を螺合させることにより、スカート部材３が本体部２に固定されるようになっている。
【００５９】
スカート部材３の縦板部５３よりも後側は上方に開放されている。このスカート部材３の縦板部５３よりも後側の内部に、円筒部３２、ノズル６及び軸受部５１が配置されるようになっている。
【００６０】
図２及び図１０に示すように、スカート部材３の左側面の下部には、左側フック５６が形成されている。この左側フック５６は、スカート部材３の縦板部５３よりも後側に位置付けられている。スカート部材３の右側面にも、左側面と同様に右側フック５７が形成されている。これらフック５６、５７は、地面Ａに円や円弧を描く際にその中心から延びる紐を引っ掛けておくためのものである。
【００６１】
図１０に示すように、スカート部材３の後部には、左側へ突出する左突出部５８と、右側へ突出する右突出部５９とが形成されている。左突出部５８は、左端に近づくほど前後方向の寸法が短くなる枠形状をなしており、上下の両方向に開放されている。図１３にも示すように、左突出部５８の内方には、上下方向に延び、かつ、前後方向に延びる複数のリブ５８ａ、５８ａが設けられている。左突出部５８の上側には、延出部５８ｂが形成されている。延出部５８ｂの上端部は、本体部２の左側の湾曲部１４ａに当接するようになっている。右突出部５９も左突出部５８と同様に形成され、複数のリブ５９ａ、５９ａと延出部５９ｂとが形成されている。
【００６２】
また、スカート部材３の左突出部５８及び右突出部５９には、車軸４が挿通する軸受孔（図示せず）が形成されている。このようにスカート部材３から左右に突出する左突出部５８及び右突出部５９で車軸４の両端側を支持するようにしているので、例えばライン引き器具１を誤って落下させた場合において、車軸４を曲がり難くすることができる。
【００６３】
次に、上記のように構成されたライン引き器具１を使用する場合について説明する。まず、ライン引き器具１を例えば幼稚園や学校で使用する場合には、図１４に示すように、貯留空間Ｒに水を溜めるために手洗い場Ｂに持っていく。そして、本体部２の例えばグリップ部２０を持ちながら車軸４を中心にして後側に傾動させ、グリップ部２０の下側把持部２０ｂを手洗い場Ｂの縁に置く。操作レバー２６からは手を離しておき、ノズル６を閉状態としておく。この状態では、グリップ部２０が本体部２から後側へ突出していて、そのグリップ部２０の上端部に注水口２１が開口しているので、注水口２１を蛇口Ｃに接近させる際に本体部２が邪魔になりにくい。蛇口Ｃから出た水は、注水口２１から注水通路Ｔを通って貯留空間Ｒに貯留されていく。尚、このとき上側把持部２０ａの中空部Ｓに流れ込んだ水も貯留空間Ｒに貯留される。
【００６４】
貯留空間Ｒに水を貯留した後、ライン引き器具１を置いておく場合には、図１に実線で示すように、スタンド部５２を地面Ａに接触させて自立姿勢としておく。このとき、貯留空間Ｒの下側の横断面積が上側よりも大きいので、重心位置が低く、ライン引き器具１を自立姿勢で安定させることができる。
【００６５】
一方、ラインを引く場合には、作業者がグリップ部２０を持って、図１に仮想線で示すように、車軸４周りに後側へ傾動させる。すると、ノズル６の板部４２が変位して、板部４２と地面Ａとのなす角度が自立姿勢にあるときよりも小さくなり、板部４２と地面Ａとが平行に近くなる。そして、操作レバー２６を引くと、バネ４８の付勢力に抗してロッド３５が上方に移動して弁体４６が上方に移動する。これにより、ノズル６が開状態となり、貯留空間Ｒの水は、円筒部３２からハット部材４５のスリット４５ｃを介してノズル６内に流れ込み、小孔４０、４０、…から流出して地面Ａに撒かれ、地面Ａには本体部２の移動方向に延びるラインが形成される。
【００６６】
各小孔４０は、出口側の径ｄ１が１．０ｍｍ以下の小さいものであるため、水が流出する勢いは弱く、地面Ａに落ちても飛び散り難い。その結果、きれいなラインを引くことが可能になる。また、ノズル６には多数の小孔４０、４０、…が形成されているので、水が各小孔４０から流出する勢いを弱めても、ノズル６全体として見たときの水の単位時間当たりの流出量は十分に確保することが可能である。さらに、多数の小孔４０、４０、…が本体部２の進行方向及び進行方向と交差する方向に並んでいるので、ラインにむらができにくい。尚、小孔４０、４０、…の並びは、同心円状や、渦巻き状であってもよいし、進行方向に対し傾斜するように並んでいてもよい。
【００６７】
本体部２には、上記のように開口部１３ｃが形成されているとともに注水口２１が形成されているので、小石や砂が開口部１３ｃ及び注水口２１から貯留空間Ｒに入り、ハット部材４５のスリット４５ｃや、貫通孔４３ａ、小孔４０内に詰まって水が流れにくくなることがある。この場合には、ノズル６を回して円筒部３２から外すことで小石や砂を容易に洗い流すことができるので、メンテナンス性は良好である。
【００６８】
以上説明したように、この実施形態に係るライン引き器具１によれば、ノズル６に複数の小孔４０、４０、…を形成したので、ラインを引くとき、各小孔４０から流出する水の勢いを弱めて地面Ａに落ちた水の飛び散りを抑制しながら、ノズル６全体から流出する単位時間当たりの水の流出量を十分に得ることができる。これにより、きれいなラインを素早く引くことができる。
【００６９】
また、ノズル６の各小孔４０の出口側の径ｄ１を１．０ｍｍ以下としたので、水の飛び散りをより一層抑制することができ、ラインをより一層きれいに引くことができる。小孔４０の出口側の径ｄ１は、３．０ｍｍ以下であれば、水の飛び散りを十分に抑制することができる。
【００７０】
また、隣り合う小孔４０、４０の中心間距離を５．０ｍｍ以下に設定して小孔４０、４０、…を密に配置するようにしたので、むらの無いラインを引くことができる。尚、隣り合う小孔４０、４０の中心間距離が３０．０ｍｍ以下であれば、むらをなくすことができる。
【００７１】
また、本体部２の姿勢を自立姿勢と使用姿勢とに切り替え可能にし、ノズル６の板部４２と地面Ａとのなす角度が、使用姿勢にあるときに小さくなるようにしたので、水を地面Ａにきれいに撒くことができ、より一層きれいなラインを得ることができる。
【００７２】
また、作業者がグリップ部２０を持ったまま、操作レバー２６を操作することによりノズル６内の流路を開閉することができるので、ライン引きの作業性を良好にすることができる。
【００７３】
また、本体部２に設けられたグリップ部２０の内部に注水通路Ｔを形成したので、グリップ部２０の内部を有効に活用でき、注水通路Ｔを有するライン引き器具１をコンパクトにまとめることができる。
【００７４】
また、グリップ部２０が本体部２から突出しているので、水を注入する際の作業性を良好にすることができる。
【００７５】
尚、上記実施形態では、水を貯留空間Ｒに貯留する際、グリップ部２０に設けた注水通路Ｔを利用するようにしているが、これに限らず、例えば蛇口Ｃに接続されたホースの先端を本体部２の開口部１３ｃに差し込むようにしてもよい。また、水を貯留する際には、本体部２を傾けることなく、自立姿勢のままとしてもよい。
【００７６】
また、操作レバー２６には、開方向に回動させた状態でロックするロック機構を設けてもよい。
【００７７】
また、本体部２の一部に透明な窓を設けて貯留空間Ｒ内の水の量を把握できるようにしてもよい。
【００７８】
また、車輪５の数は、２つに限られるものではなく、３つ以上であってもよい。
【００７９】
また、上記実施形態では、操作レバー２６をグリップ部２０に設けているが、操作レバー２６はグリップ部２０以外の箇所に設けるようにしてもよい。また、操作レバー２６と弁体４６とは、ワイヤー等の可撓性部材で連結するようにしてもよい。
【００８０】
また、貯留空間Ｒには、水以外の液体を貯留するようにしてもよい。
【産業上の利用可能性】
【００８１】
以上説明したように、本発明に係るライン引き器具は、例えば、幼稚園の庭、学校の校庭等にラインを引く場合に用いることができる。
【図面の簡単な説明】
【００８２】
【図１】実施形態に係るライン引き器具の側面図である。
【図２】ライン引き器具の正面図である。
【図３】図１におけるIII−III線断面図である。
【図４】図１におけるIV−IV線断面図である。
【図５】図１におけるV−V線断面図である。
【図６】ライン引き器具の背面図である。
【図７】ライン引き器具の上部を後方から見た斜視図である。
【図８】図２におけるVIII−VIII線断面図である。
【図９】図２におけるIX−IX線の拡大断面図である。
【図１０】ライン引き器具の底面図である。
【図１１】ノズルを中心線に沿って下方から見た図である。
【図１２】図１１におけるXII−XII線断面図である。
【図１３】図１におけるXIII−XIII線断面図である。
【図１４】水を貯留空間に貯留する場合を説明する図である。
【符号の説明】
【００８３】
１            ライン引き器具
２            本体部
４            車軸
５            車輪
６            ノズル
２０          グリップ部
２６          操作レバー（操作部）
３５          ロッド（連結部材）
４０          小孔（流出孔）
４２          板部
４６          弁体
５２          スタンド部
Ａ            地面
Ｒ            貯留空間
Ｔ            注水通路（注液通路）
【図１】
2009207693.tif 000003
【図２】
2009207693.tif 000004
【図３】
2009207693.tif 000005
【図４】
2009207693.tif 000006
【図５】
2009207693.tif 000007
【図６】
2009207693.tif 000008
【図７】
2009207693.tif 000009
【図８】
2009207693.tif 000010
【図９】
2009207693.tif 000011
【図１０】
2009207693.tif 000012
【図１１】
2009207693.tif 000013
【図１２】
2009207693.tif 000014
【図１３】
2009207693.tif 000015
【図１４】
2009207693.tif 000016